(57)【特許請求の範囲】
【請求項１】
壁面に取付け固定される固定部と、該固定部に設けられたガイド部に案内されて上下方向に可動して鏡を保持する爪部と、固定部と爪部との間に設けて下方向に爪部を弾性的に保持するように保持力が働くバネ部から構成され、固定部にウイングを設け、ウイングに引掛かるように対向して爪部にストッパ部を設け、爪部を固定部に対して反るように引き上げるとウイングとストッパ部とは互いに干渉しないが、爪部を上方垂直に引き上げるとウイングとストッパ部とが互いに干渉するように、ウイングとストッパ部とを構成したことを特徴とする鏡止め具。
【請求項２】
壁面に取付け固定される固定部とその固定部に設けられたガイド部に案内されて上下方向に可動して鏡を保持する爪部と、固定部と爪部との間に設けて下方向に爪部を弾性的に保持するように保持力が働くバネ部から構成され、該バネ部は、バネ中央部とそのバネ中央部より左右対称に湾曲して拡がってなるバネ湾曲部にて形成されており、該バネ中央部を爪部にて支持され、かつ、バネ湾曲部を固定部に左右対称に設けられた両バネ用ガイド部に案内し、爪部が固定部に対して上下方向に可動するのに合わせて、該バネ湾曲部がバネ用ガイド部に案内されてスライドし、かつ、バネ部の両端部には、爪部を固定部に対して上方へ引き上げた時にバネ用ガイド部に係止して爪部が下方へ落下しないように保持するバネストッパ部を設けてなることを特徴とする鏡止め具。
【請求項３】
固定部に鏡裏面当接部を突出してなることを特徴とする請求項１又は２に記載の鏡止め具。
【請求項４】
鏡裏面当接部に孔を設け、該孔に流れ込んで表裏一体に連結した軟質材がコーティングされていることを特徴とする請求項３に記載の鏡止め具。
【発明の詳細な説明】
【０００１】
【発明の属する技術分野】
本発明は、壁面に鏡を取付けるための鏡止め具に関するものである。詳しくは、バネの弾性力により、鏡を保持する鏡止め具に関するものである。
【０００２】
【従来の技術】
一般に、鏡は下側の鏡止め具と上側の鏡止め具とで壁面に取付けられ、上側の鏡止め具に設けた長孔を通してビス等で壁面に固定され、このビスに対して上下スライド可能として、鏡を保持するように押し下げられている。また、壁面と鏡との間に、鏡止め具の壁面固定部に一体的に取付けられたゴムパッキンを設け、このゴムパッキンにて鏡裏面を押し当てて、鏡が鏡止め具からずれないようにしている。
【０００３】
【発明が解決しようとする課題】
しかしながら、従来の鏡止め具では、ゴムパッキンにより鏡を押しつけて、このゴムパッキンとの摩擦力によりずれないようにしていたが、取付ける際にも同様の摩擦力が働くため、鏡止め具を押し下げにくく、施工性が悪かった。また、長期使用中に何度も鏡面を雑巾で拭くなどすることにより、保持している上側の鏡止め具を除々に持ち上げてしまう恐れがある。
【０００４】
以上の問題点に鑑み、本発明では、簡単に鏡取付け作業ができ、かつ、取付け後長期経過しても、鏡止め具が不用意に持ち上がらずに取付け時の保持位置を保って、鏡を保持する鏡止め金具を提供することにある。
【０００５】
【課題を解決するための手段およびその作用・効果】
請求項１の発明において、鏡止め具１は、壁面３０に取付け固定される固定部２と、該固定部２に設けられたガイド部３に案内されて上下方向に可動して鏡３１を保持する爪部１１と、固定部２と爪部１１との間に設けて下方向に爪部１１を弾性的に保持するように保持力が働くバネ部１７から構成される。固定部２にウイング１０を設け、ウイング１０に引掛かるように対向して、爪部１１にストッパ部１５を設け、爪部１１を固定部２に対して反るように引き上げるとウイング１０とストッパ部１５とは互いに干渉しないが、爪部１１を上方垂直に引き上げるとウイング１０とストッパ部１５とが互いに干渉するように、ウイング１０とストッパ部１５とを構成した。
【０００６】
請求項１の発明においては、壁面３０に鏡３１を取付けた後、爪部１１を上方に引き上げると、壁面３０が邪魔して爪部１１は固定部２に対して反ることができず、ストッパ部１５とウイング１０とが当接して干渉し合う。これにより、バネ部１７の保持力が低下しても、爪部１１は不用意に持ち上がらず、鏡３１を保持し続ける。
【０００７】
請求項２の発明において、鏡止め具１は、壁面３０に取付け固定される固定部２とその固定部２に設けられたガイド部３に案内されて上下方向に可動して鏡３１を保持する爪部１１と、固定部２と爪部１１との間に設け下方向に爪部１１を弾性的に保持するように保持力が働くバネ部１７から構成される。該バネ部１７は、バネ中央部１８とそのバネ中央部１８より左右対称に湾曲して拡がってなるバネ湾曲部１９にて形成されており、該バネ中央部１８を爪部１１にて支持され、かつ、バネ湾曲部１９を固定部２に左右対称に設けられた両バネ用ガイド部４に案内し、爪部１１が固定部２に対して上下方向に可動するのに合わせて、該バネ湾曲部１９がバネ用ガイド部４に案内されてスライドする。バネ部１７の両端部には、爪部１１を固定部２に対して上方へ引き上げた時にバネ用ガイド部４に係止して爪部１１が下方へ落下しないように保持するバネストッパ部２０を設けた。
【０００８】
請求項２の発明においては、爪部１１を上方まで引き上げて、両バネストップ部２０が両バネ用ガイド部４の位置にくると、バネストッパ部２０がバネ用ガイド部４に係止して、爪部１１を下方に落下しないように保持するので、施工作業が簡単になる。
【０００９】
請求項３の発明においては、固定部２に鏡裏面当接部７を突出させた。裏面当接部７は弾性機能を持ち、鏡３１を取付けたときに鏡３１の裏面を前方に押し付けるように当接するので、鏡３１は爪部１１と裏面当接部７とにより挟まれて長期安定して保持され、ずれない。
【００１０】
請求項４の発明においては、鏡裏面当接部７に孔８を設け、該孔８に流れ込んで表裏一体に連結した軟質材がコーティングされているので、コーティング部９が鏡裏面当接部７から外れることがなく、鏡３１が長期安定して保持され、ずれない。
【００１１】
【発明の実施の形態】
以下に、この発明の実施の形態を図面を参照しつつ説明する。
図１は、本発明の一実施の形態に係る鏡止め具１の使用状態を示す。
図２に示すように、上側に取付ける鏡止め具１は、壁面３０に取付け固定される固定部２とその固定部２に設けられたガイド部３に案内されて上下方向にのみ可動して鏡３１を保持する爪部１１と、固定部２と爪部１１との間に設けて下方向に爪部１１を弾性的に保持するように保持力が働くバネ部１７との三部品より構成されている。
【００１２】
上記固定部２は、図４に示すように、固定部２に設けられたビス孔５を貫通するようにして、壁面３０に固定ビス３２等によって固定されるが、この固定ビス３２を中心に固定部２が回転しないように固定部２の裏面には回転防止用凸部６が形成されており、ビス固定することにより、回転防止用凸部６は壁面３０に圧接されて固定部２の回転を阻止する方向に働く。
【００１３】
また、固定部２の表面側に突出するように鏡裏面当接部７が設けられている。図６に示すように、この鏡裏面当接部７は、弾性機能を持ち、鏡３１を取付けたときに鏡３１の裏面を前方に押し付けるように当接され、鏡３１の前後へのずれを防止する。さらに、取付けた鏡３１が横方向にずれないように、鏡裏面当接部７には、塩ビ等の軟質樹脂材などによりコーティングされている。
なお、このコーティング部９が鏡裏面当接部７より外れないように、鏡裏面当接部７に孔８を設けておき、その孔８に樹脂が流れ込んで表裏一体に連結している。
【００１４】
次に、爪部１１について説明する。
爪部１１は、固定部２の左右対称に設けられたガイド部３に案内されるレール部１２を左右に設け、この両レール部１２を連結し、かつ、このレール部１２より垂直に突出された爪上部１３と、この爪上部１３よりレール部１２を設けた方向に垂下された爪掛部１４にて構成されている。
【００１５】
固定部２に設けられたガイド部３は、第１ガイド部３ａ、第２ガイド部３ｂ、第３ガイド部３ｃによって構成されており、これらを互い違いに設けてレール部１２を挟み込むようにして案内し、上下方向にのみ可動するように抑制している。
【００１６】
このレール部１２の下側にはストッパ部１５を突出させてあり、このストッパ部１５に対向して、固定部２には、ウイング１０を設けている。
これらは、壁面３０に取付け固定する前においては、図７に示すように、爪部１１を固定部２に対して反るように引き上げることにより、互いに干渉せずに容易にウイング１０がストッパ部１５を乗り越えて、爪部１１を引き上げることができる。
【００１７】
一方、図８に示すように、壁面３０に取付け固定した場合、爪部１１を押し下げて鏡３１を取付け保持するが、この押し下げる作動工程においては、簡単にストッパ部１５をウイング１０が乗り越えられるようになっている。しかしながら、引き上げる作動工程においては、爪部１１は固定部２に対して、壁面３０が邪魔して反ることができずに、ストッパ部１５と壁面３０との間にウイング１０が入り込んで、両者は当接し干渉しあい、これにより、バネ部１７の保持力が低下したとしても、爪部１１が不用意に持ち上がらずに、鏡３１を保持しつづけるのである。
【００１８】
なお、鏡３１を取り替える場合においては、ある一定以上の力を爪部１１に加えることにより、爪部１１のレール部１２が固定部２に対して押し広げられて、その結果、ウイング１０とストッパ部１５とのストッパ機能を解消させることができ、鏡３１を取り替えることができる。
【００１９】
爪掛部１４は、１２ｍｍ程度として、十分に取付ける鏡上部に掛かるようにする。
また、爪上部１３には、爪部１１がバネ部１７の弾性力によって下方に落下する際に、鏡上部と爪上部１３との衝突力を和らげるように爪上部１３に凹部１６を設けている。
【００２０】
次に、バネ部１７について説明する。
バネ部１７は、左右対称の線バネ形状をしている。バネ中央部１８より下方に拡がるように緩やかに湾曲してバネ湾曲部１９を形成しており、その両端部には、鍵状のバネストッパ部２０が設けられている。
バネ部１７のバネ中央部１８を爪上部１３もしくはその近傍のレール部１２側の爪部１１にて支持し、左右に湾曲しているバネ湾曲部１９はそれぞれバネ用ガイド部４にて案内され、爪部１１が固定部２に対して上下方向に可動に合わせて、該バネ湾曲部１９がバネ用ガイド部４に案内されてスライドし、かつ、バネ部１７の両端部には、該バネ用ガイド部４よりバネ部１７がスライドして抜けずに係止される。
【００２１】
さらに、このバネ部１７がバネ用ガイド部４の端部との摩擦抵抗を小さくして摺動しやすいように、ガイド端部に第二バネガイド部４ａを形成している。また、この第二バネガイド部４ａは、爪部１１の上下可動時において、レール部１２のガイドとしても働く。
そして、前記バネストッパ部２０によって、爪部１１を上方に引き上げたときに、引き上げ過ぎて、バネ部１７がバネ用ガイド部４より外れないように、一定の長さ分だけ引き上げられるようにストップされる。
なお、バネ部１７の湾曲形状は、爪部１１を引き上げた状態においても、固定ビス３２と干渉しないようにしている。
【００２２】
また、図４に示すように、爪部１１を固定部２より上方まで引き上げることにより、バネ部１７形状が変形して、バネストッパ部２０がバネ用ガイド部４の位置にきて、爪部１１が下方に落下しないように保持される。鏡３１を設置後、バネ部１７の弾性力が働く位置まで、爪部１１を指で押し下げてやることにより、バネストッパ部２０からバネ用ガイド部４から外れて、ストッパ機能が解除されて、バネ部１７の形状が変形した分、元に戻ろうとする弾性力が下方に働き、自動的に爪部１１が鏡３１の上端部３１ａに引掛かり、鏡３１の取付けが完了する。取付け後は、バネ部１７の弾性力により爪部１１が必要以上の力を加えないかぎり上がらないようになる。
また、鏡３１を雑巾などで拭いたときに爪部１１が持ち上がっても、その都度、バネ部１７の弾性力により、元に戻り常に一定の保持状態を保つのである。
つまり、バネ部１７の弾性力と、ストッパ部１５とウイング１０との干渉力とにより、爪部１１が不用意に持ち上がらないように、二重の安全性を確保しているのである。
なお、図９には、他の実施形態の鏡止め具１を示す。
【００２３】
図３は、下側に設けて、鏡３１の下端部３１ｂを受ける下側の鏡止め具１ｂである。
下側の鏡止め具１ｂは、壁面３０に固定ビス３２等にて固定する。図６に示すように、裏面から突出される鏡裏面当接部７ｂが設けられていて、上側に設ける鏡止め具１の鏡裏面当接部７と同様の働きをする。
また、固定部２ｂの端部にコーティング部９ｃが設けられ、これにより、壁面３０に取付けたときに鏡止め具１ｂが回転するのを防止しているのである。なお、このコーティングは、鏡裏面当接部７、７ｂのコーティングと同様である。
【００２４】
図４、５、６、７に基づいて、鏡取付け手順を説明する。
鏡取付け位置を確認して、下側鏡止め具１ｂを固定ビス３２等にて固定する。
鏡３１を下側鏡止め具１ｂに仮置きし、鏡３１の上端部３１ａに合わせて壁面３０にケガキを入れて鏡３１をいったん外す。
鏡止め具１を引き伸ばし、前記ケガキに固定部２の上端辺２ａが合うように固定ビス３２等にて固定する。
鏡３１を再度下側鏡止め具１ｂに載せて、鏡３１を壁面３０方向に押しつけながら、上側にとりつけた鏡止め具１を押し下げて爪部１１が鏡３１に十分に掛かるようにして、鏡３１の取付け作業を完了する。
【００２５】
以上、上側に設けた鏡止め具１は、バネ部１７により、かつ、ストッパ部１５とウイング１０との干渉により、爪部１１が上方に上がることを妨げる働きをする。そのため、鏡３１を拭いたりしたときに、鏡止め具１を持ち上げてしまう恐れがなく、常に安定した状態にて、鏡３１を壁面３０に保持することができるのである。
【図面の簡単な説明】
【図１】本発明の一実施の形態に係る鏡止め具の使用状態を示す。
【図２】本発明の一実施の形態に係る上側の鏡止め具を示す。
【図３】本発明の一実施の形態に係る下側の鏡止め具を示す。
【図４】本発明の鏡取付け時の上側の鏡止め具の可動状態を示す。
【図５】本発明の上側の鏡止め具への鏡の取付け工程を示す。
【図６】本発明の下側および上側の鏡止め具と鏡との取付け工程を示す。
【図７】本発明の上側の鏡止め具の爪部を引き伸ばす工程を示す。
【図８】本発明の鏡止め具のウイングとストッパ部との関係を示す。
【図９】本発明の他実施の形態に係る鏡止め具を示す。
【符号の説明】
１  鏡止め具
１ｂ  下側の鏡止め具
２、２ｂ  固定部
３  ガイド部
４  バネ用ガイド部
４ａ  第２バネガイド部
６  回転防止用凸部
７、７ｂ  鏡裏面当接部
８  孔
９、９ｃ  コーティング部
１０  ウイング
１１  爪部
１２  レール部
１３  爪上部
１４  爪掛部
１５  ストッパ部
１６  凹部
１７  バネ部
１８  バネ中央部
１９  バネ湾曲部
２０  バネストッパ部
３０  壁面
【図１】
0003800351.tif 000002
【図２】
0003800351.tif 000003
【図３】
0003800351.tif 000004
【図４】
0003800351.tif 000005
【図５】
0003800351.tif 000006
【図６】
0003800351.tif 000007
【図７】
0003800351.tif 000008
【図８】
0003800351.tif 000009
【図９】
0003800351.tif 000010